(57)【要約】【課題】回転の負荷を調整することにより異なるトレーニング効果を得て、様々なユーザのニーズに応じて負荷を調整することが可能な負荷を調整することが可能な回転式トレーニングマシーンを提供する。【解決手段】負荷を調整することが可能な回転式トレーニングマシーンは、本体３、２つの回転盤４及び調整装置６を備える。本体３は、２つの外リング３０及び接続片３１を有する。接続片３１は、両端が外リング３０の側部にそれぞれ固着され、中央部に設けられた穿孔３３と、穿孔３３の周囲に対称的に設けられ、前後側面から突出された複数の案内棒３４とを有する。回転盤４は、外リング３０内に回動自在にそれぞれ取り付けられ、ユーザが握るハンドル４１をそれぞれ有する。調整装置６は、後方調整片６０、前方調整片６１、複数のダンパ片６２、複数の圧縮バネ６３及び調整ボタン６４を含む。【選択図】図２
0003175963.tif 000002
【実用新案登録請求の範囲】
【請求項１】
本体、２つの回転盤及び調整装置を備えた負荷を調整することが可能な回転式トレーニングマシーンであって、
前記本体は、２つの外リング及び接続片を有し、前記接続片は、両端が前記外リングの側部にそれぞれ固着され、中央部に設けられた穿孔と、前記穿孔の周囲に対称的に設けられ、前後側面から突出された複数の案内棒と、を有し、
前記回転盤は、前記外リング内に回動自在にそれぞれ取り付けられ、ユーザが握るハンドルをそれぞれ有し、
前記調整装置は、後方調整片、前方調整片、複数のダンパ片、複数の圧縮バネ及び調整ボタンを含み、
前記後方調整片は、前記接続片の後側に配置され、両側辺が前記回転盤の側部に位置するとともに、軸ロッド及び複数の後方ガイド孔を有し、前記軸ロッドは、前記穿孔に挿設され、端部にネジ部分が設けられ、前記後方ガイド孔には、前記本体の後側に設けられた前記案内棒が可動自在に挿設され、
前記前方調整片は、前記接続片の前側に配置され、２つの側辺が前記回転盤のそれぞれの側部に位置し、前記前方調整片は、前記軸ロッドの前記ネジ部分を貫設させる貫通孔と、前記本体の前側に設けられた前記案内棒を可動自在に挿設させる複数の前方ガイド孔と、を有し、
前記ダンパ片は、前記前方調整片及び前記後方調整片の両側辺にそれぞれ接続され、前記回転盤それぞれの前後側面を押圧して負荷を加え、
前記圧縮バネは、前記案内棒にそれぞれ外嵌され、前記前方調整片及び前記後方調整片を外側へ押圧する弾力を提供し、前記調整ボタンの側部に設けられたネジ孔により、前記軸ロッドの前記ネジ部分に前記前方調整片を螺設させることを特徴とする負荷を調整することが可能な回転式トレーニングマシーン。
【請求項２】
前記回転盤は、内リング及び２つの内リング蓋片をそれぞれ有し、
前記内リングは、対応した前記外リング内に、同軸で回動可能に取り付けられ、前記内リング蓋片は、前記内リングの前後側面上に結合され、前記内リング蓋片の外周側が、対応した前記外リングの前後側面上に位置し、前記ハンドルの両端が、前記内リングの互いに対向した２つの内壁上に結合されることを特徴とする請求項１に記載の負荷を調整することが可能な回転式トレーニングマシーン。
【請求項３】
４つの軸受リングをさらに備え、
前記軸受リングは、前記回転盤と前記外リングとの間にそれぞれ配置され、摩擦係数が小さい耐磨耗性を備える材料からなり、互いに垂直に接続された立片及び横片を含むとともに、Ｌ字状の断面形状を有し、
前記立片は、前記外リングと前記内リングとの間に配置され、
前記横片は、前記外リングと前記内リング蓋片との間に配置されることを特徴とする請求項２に記載の負荷を調整することが可能な回転式トレーニングマシーン。
【請求項４】
前記外リングの前後側面の内側縁部には、環状溝がそれぞれ設けられ、
前記環状溝には、前記外リングの内側まで延伸した開口が形成され、
前記開口には、対応した前記軸受リングの前記横片が収容されることを特徴とする請求項３に記載の負荷を調整することが可能な回転式トレーニングマシーン。
【請求項５】
前記ハンドルの両端は、螺合部材により前記内リングに螺着されることを特徴とする請求項４に記載の負荷を調整することが可能な回転式トレーニングマシーン。
【請求項６】
前記内リング蓋片は、複数のネジにより前記内リングの前後側面上にそれぞれ螺着されることを特徴とする請求項４に記載の負荷を調整することが可能な回転式トレーニングマシーン。
【請求項７】
前記軸受リングはテフロン（登録商標）からなることを特徴とする請求項４に記載の負荷を調整することが可能な回転式トレーニングマシーン。
【考案の詳細な説明】
【技術分野】
【０００１】
本考案は、両手又は片手で使用することが可能なトレーニングマシーンに関し、特に、ユーザの必要に応じて回転する際にかかる負荷の大きさを調整し、異なるレベルのトレーニング効果を得ることができる負荷を調整することが可能な回転式トレーニングマシーンに関する。
【背景技術】
【０００２】
図１に示すように、従来の回転式トレーニングマシーンは、本体１及び２つの回転盤２を含む。本体１は、２つの外リング１０及び２つの接続ロッド１１を含む。２つの接続ロッド１１は、外リング１０間に対称的に上下に配置され、両端が外リング１０の外壁にそれぞれ接続されている。２つの回転盤２は、本体１の２つの外リング１０内に回動可能に接続され、ユーザが手で握るために用いるハンドル２０をそれぞれ有する。このように、両手で２つの回転盤２のハンドル２０を握って様々な方向へ動かしたり回したり、複数の回転盤２のうちの１つのハンドル２０を片手で握って振り回したりして、太極拳の様々な基本動作（例えば、手を回す動作、パンチの動作、慣性力を利用した動作など）を行い、腕の筋肉及び手の関節を鍛える。
【０００３】
しかし、従来の回転式トレーニングマシーンの２つの回転盤２は、本体１の２つの外リング１０内で同じようにスムーズに回動するため、同じトレーニング効果しか得られない。しかし、各個人の体質及びニーズが異なるため、回転の負荷を調整することができない従来の回転式トレーニングマシンでは、レベルの異なるトレーニングを行いたい者や負荷が大きなトレーニングを行いたい者にとっては、有効かつ適宜にトレーニングを行うことができない。
【考案の概要】
【考案が解決しようとする課題】
【０００４】
本考案の第１の目的は、回転する際にかかる負荷を調整することにより異なるトレーニング効果を得て、様々なユーザのニーズに応じて負荷を調整することが可能な負荷を調整することが可能な回転式トレーニングマシーンを提供することにある。
【課題を解決するための手段】
【０００５】
上記課題を解決するために、本体、２つの回転盤及び調整装置を備えた負荷を調整することが可能な回転式トレーニングマシーンであって、前記本体は、２つの外リング及び接続片を有し、前記接続片は、両端が前記外リングの側部にそれぞれ固着され、中央部に設けられた穿孔と、前記穿孔の周囲に対称的に設けられ、前後側面から突出された複数の案内棒と、を有し、前記回転盤は、前記外リング内に回動自在にそれぞれ取り付けられ、ユーザが握るハンドルをそれぞれ有し、前記調整装置は、後方調整片、前方調整片、複数のダンパ片、複数の圧縮バネ及び調整ボタンを含み、前記後方調整片は、前記接続片の後側に配置され、両側辺が前記回転盤の側部に位置するとともに、軸ロッド及び複数の後方ガイド孔を有し、前記軸ロッドは、前記穿孔に挿設され、端部にネジ部分が設けられ、前記後方ガイド孔には、前記本体の後側に設けられた前記案内棒が可動自在に挿設され、前記前方調整片は、前記接続片の前側に配置され、２つの側辺が前記回転盤のそれぞれの側部に位置し、前記前方調整片は、前記軸ロッドの前記ネジ部分を貫設させる貫通孔と、前記本体の前側に設けられた前記案内棒を可動自在に挿設させる複数の前方ガイド孔と、を有し、前記ダンパ片は、前記前方調整片及び前記後方調整片の両側辺にそれぞれ接続され、前記回転盤それぞれの前後側面を押圧して負荷を加え、前記圧縮バネは、前記案内棒にそれぞれ外嵌され、前記前方調整片及び前記後方調整片を外側へ押圧する弾力を提供し、前記調整ボタンの側部に設けられたネジ孔により、前記軸ロッドの前記ネジ部分に前記前方調整片を螺設させることを特徴とする負荷を調整することが可能な回転式トレーニングマシーンが提供される。
【０００６】
また、前記回転盤は、内リング及び２つの内リング蓋片をそれぞれ有し、前記内リングは、対応した前記外リング内に、同軸で回動可能に取り付けられ、前記内リング蓋片は、前記内リングの前後側面上に結合され、前記内リング蓋片の外周側が、対応した前記外リングの前後側面上に位置し、前記ハンドルの両端が、前記内リングの互いに対向した２つの内壁上に結合されることが好ましい。
【０００７】
また、４つの軸受リングをさらに備え、前記軸受リングは、前記回転盤と前記外リングとの間にそれぞれ配置され、摩擦係数が小さい耐磨耗性を備える材料からなり、互いに垂直に接続された立片及び横片を含むとともに、Ｌ字状の断面形状を有し、前記立片は、前記外リングと前記内リングとの間に配置され、前記横片は、前記外リングと前記内リング蓋片との間に配置されることが好ましい。
【０００８】
また、前記外リングの前後側面の内側縁部には、環状溝がそれぞれ設けられ、前記環状溝には、前記外リングの内側まで延伸した開口が形成され、前記開口には、対応した前記軸受リングの前記横片が収容されることが好ましい。
【０００９】
また、前記ハンドルの両端は、螺合部材により前記内リングに螺着されることが好ましい。
【００１０】
また、前記内リング蓋片は、複数のネジにより前記内リングの前後側面上にそれぞれ螺着されることが好ましい。
【００１１】
また、前記軸受リングはテフロン（登録商標）からなることが好ましい。
【考案の効果】
【００１２】
本考案の負荷を調整することが可能な回転式トレーニングマシーンは、以下（１）及び（２）の効果を有する。
（１）両手で２つの回転盤のハンドルをそれぞれ握って様々な方向へ動かしたり回転させたり、回転盤のうちの１つを片手で握って振り回したりすることにより太極拳の様々な基本動作を行い、腕の筋肉及び手の関節を鍛えることができる。特に、調整ボタンを締め付けたり緩めたりすると、前後の調整片間の距離を制御して複数のダンパ片を調整し、２つの回転盤上に加わる圧力を調整することができる。これにより、２つの回転盤に異なる負荷をかけ、レベルの異なるトレーニング効果を得て、様々なユーザのニーズに対応することができる。
（２）構造が簡素であるため、製造コストを減らすことができる。
【考案を実施するための形態】
【００１３】
以下、本考案の実施形態について図に基づいて説明する。なお、これによって本考案が限定されるものではない。
【００１４】
図２〜図５を参照する。図２〜図５に示すように、本考案の一実施形態に係る負荷を調整することが可能な回転式トレーニングマシーンは、本体３、２つの回転盤４、４つの軸受リング５及び調整装置６を含む。
【００１５】
本体３は、同一平面に設けられた２つの外リング３０と、２つの外リング３０間に設けられた接続片３１と、を含む。２つの外リング３０の前後の側面の内側縁部には、それぞれ環状溝３２が設けられている。環状溝３２には、外リング３０の内側まで延伸して開口が形成されている。接続片３１の両端は、２つの外リング３０の外壁にそれぞれ固着される。接続片３１は、中央部に設けられた穿孔３３と、穿孔３３の両側に対称的に設けられ、前後側面から突出された４つの案内棒３４と、を有する。
【００１６】
２つの回転盤４は、本体３の２つの外リング３０内に回動自在に取り付けられる。各回転盤４は、内リング４０、ハンドル４１及び２つの内リング蓋片４２を含む。内リング４０は、対応した外リング３０内に、同軸で回動可能に取り付けられる。ハンドル４１の両端は、内リング４０の対向した２つの内壁上に螺合部材４３により螺着される。２つの内リング蓋片４２は、複数のネジ４４を利用し、内リング４０の前後側面上に螺着され、内リング蓋片４２の外周側が、外リング３０の前後の側面に位置する。
【００１７】
４つの軸受リング５は、２つの回転盤４と、２つの外リング３０との間に配置される。軸受リング５は、例えば、テフロン（登録商標）など、摩擦係数が小さい耐磨耗性を備える材料からなる。各軸受リング５は、互いに垂直に接続された立片５０及び横片５１から構成され、Ｌ字状の断面形状を有する。立片５０は、外リング３０の内壁と内リング４０の外壁との間に設けられる。横片５１は、外リング３０の環状溝３２内に嵌設され、外リング３０と内リング蓋片４２との間に配置される。
【００１８】
調整装置６は、後方調整片６０、前方調整片６１、４つのダンパ片６２、４つの圧縮バネ６３及び調整ボタン６４を含む。後方調整片６０は、接続片３１の後側に配置され、両側辺が２つの回転盤４の後側の２つの内リング蓋片４２の側辺の後側面に位置する。後方調整片６０は、軸ロッド６００及び複数の後方ガイド孔６０１を有する。軸ロッド６００は、穿孔３３に貫設され、端部にネジ部分６０２が設けられている。２つの後方ガイド孔６０１は、接続片３１の後側から突出された２つの案内棒３４を可動自在に挿設するために用いる。前方調整片６１は、接続片３１の前側に配置され、２つの側辺が２つの回転盤４の前側に配置される２つの内リング蓋片４２の側辺の前側に位置する。前方調整片６１は、軸ロッド６００のネジ部分６０２を貫設させる貫通孔６１０と、接続片３１の前側から突出された２つの案内棒３４を可動自在に挿設させる２つの前方ガイド孔６１１と、を有する。４つのダンパ片６２は、前方調整片６１及び後方調整片６０の両側辺にそれぞれ結合され、２つの回転盤４の前側及び後側の内リング蓋片４２の外側面を押圧して負荷を加える。４つの圧縮バネ６３は、前方調整片６１及び後方調整片６０を前方及び後方へ開く弾力を提供するために、４つの案内棒３４上にそれぞれ外嵌される。調整ボタン６４の一側面には、ネジ孔６４０が設けられている。ネジ孔６４０は、軸ロッド６００のネジ部分６０２上に螺着され、前方調整片６１の外側面に調整ボタン６４を当接させる。
【００１９】
図５を参照する。図５に示すように、互いに対向するように配置された２つの内リング蓋片４２は、内リング４０の位置を外リング３０内に拘束し、内リング４０が外リング３０の内側で同軸でしか回動しないようにする。また、互いに対向するように配置された軸受リング５により、内リング４０を外リング３０内でスムーズかつ騒音が少ない状態で回転させる。また、４つの案内棒３４と、前方ガイド孔６１１及び後方ガイド孔６０１の案内とにより、前方調整片６１及び後方調整片６０が接続片３１に向かう方向か離れる方向でしか移動しない。特に、調整ボタン６４を締め付けたり緩めたりすると、調整片６１，６０間の距離を制御し、４つのダンパ片６２を調整して、４つの内リング蓋片４２上に加わる圧力を調整することができる。このように、４つのダンパ片６２により４つの内リング蓋片４２に加わる圧力を調整すると、４つの回転負荷を調整することができる。
【００２０】
図６を参照する。図６に示すように、本考案の第１の使用形態では、両手を伸ばして２つの回転盤４のハンドル４１を握った後、２つの回転盤４を同時に順方向へ回したり、同時に逆方向に回したり、２つの回転盤４を順方向と逆方向に回したりしながら、本体３を動かさないようにする。
【００２１】
図７を参照する。図７に示すように、本考案の第２の使用形態では、両手を伸ばして２つの回転盤４のハンドル４１を下手で握った後、上から下方向へかけて本体３を両手の間へ入れてから、両手を前へ伸ばして２つの回転盤４のハンドル４１を上手で握った状態にする。その後、下から上方向へかけて本体３を両手の間へ入れてから、両手を伸ばして２つの回転盤４のハンドル４１を下手で握った状態にする。そして、この動作を何度も繰り返す。
【００２２】
図８を参照する。図８に示すように、本考案の第３の使用形態では、両手を伸ばして２つの回転盤４のハンドル４１を握った後、本体３を何度も時計回り及び逆時計回りで回し、両手を交差させて左手と右手との位置を変えてもよい。
【００２３】
上述の図６〜図８の三種類の使用方式は、太極拳の手の各種基本動作を表す。
【００２４】
図９を参照する。図９に示すように、本考案の第４の使用形態では、両手で２つの回転盤４のハンドル４１を両側から握り、本体３及びハンドル４１を直立状態にした後、本体３を前方又は後方へ回転させる。これにより、手の連続動作を練習することができる。
【００２５】
図１０を参照する。図１０に示すように、本考案の第５の使用形態では、片手で複数の回転盤４のうちの１つのハンドル４１を握った後、本体３を振り回し、回転盤４を回転させる。これにより、慣性力を利用した振り回す動作を練習することができる。
【００２６】
本考案の負荷を調整することが可能な回転式トレーニングマシーンは、両手で２つの回転盤４のハンドル４１を握って、様々な方向に動かしたり回転させたりし、複数の回転盤４のうちの１つのハンドル４１を片手で振り回し、太極拳の様々な手の基本動作、パンチの連続動作及び慣性力を利用した振り回す動作などを練習することができる。これにより、腕の筋肉及び手の関節を有効に訓練することができる。特に、調整ボタン６４を締め付けたり緩めたりすると、調整片６１，６０間の距離を制御し、４つのダンパ片６２を調整して、２つの回転盤４上の４つの内リング蓋片４２に加わる圧力を調整することができる。このように、２つの回転盤４に異なる回転負荷を発生させることができるため、異なるレベルのトレーニング効果を得て、様々なユーザのニーズに応えることができる。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【図面の簡単な説明】
【００２８】
【図１】従来の回転式トレーニングマシーンを示す斜視図である。
【図２】本考案の一実施形態に係る負荷を調整することが可能な回転式トレーニングマシーンを示す分解斜視図である。
【図３】本考案の一実施形態に係る負荷を調整することが可能な回転式トレーニングマシーンを示す部分拡大図である。
【図４】本考案の一実施形態に係る負荷を調整することが可能な回転式トレーニングマシーンを示す平面図である。
【図５】図４の線Ａ−Ａに沿った断面図である。
【図６】本考案の第１の使用形態を示す模式図である。
【図７】本考案の第２の使用形態を示す模式図である。
【図８】本考案の第３の使用形態を示す模式図である。
【図９】本考案の第４の使用形態を示す模式図である。
【図１０】本考案の第５の使用形態を示す模式図である。
【符号の説明】
【００２９】
１      本体
２      回転盤
３      本体 
４      回転盤
５      軸受リング
６      調整装置
１０    外リング
１１    接続ロッド
２０    ハンドル
３０    外リング
３１    接続片
３２    環状溝
３３    穿孔
３４    案内棒
４０    内リング
４１    ハンドル
４２    内リング蓋片
４３    螺合部材
４４    ネジ
５０    立片
５１    横片
６０    後方調整片
６１    前方調整片
６２    ダンパ片
６３    圧縮バネ
６４    調整ボタン
６００  軸ロッド
６０１  後方ガイド孔
６０２  ネジ部分
６１０  貫通孔
６１１  前方ガイド孔
６４０  ネジ孔
【図１】
0003175963.tif 000003
【図２】
0003175963.tif 000004
【図３】
0003175963.tif 000005
【図４】
0003175963.tif 000006
【図５】
0003175963.tif 000007
【図６】
0003175963.tif 000008
【図７】
0003175963.tif 000009
【図８】
0003175963.tif 000010
【図９】
0003175963.tif 000011
【図１０】
0003175963.tif 000012